(57)【要約】【課題】アンモニア、アミン類などの塩基性悪臭と、硫化水素、メルカプタンなどの硫黄系悪臭との全く性質の異なる悪臭物質に対して、両者共に有効に作用する消臭剤を提供する。【解決手段】一般式［１］、一般式［２］又は一般式［３］で表されるリン酸エステル化合物と、アミノ酸型両性界面活性剤とを含有することを特徴とする消臭剤。ただし、Ｒ1は、炭素数１〜６のアルキル基若しくはヒドロキシアルキル基、又は、炭素数２〜６のアルケニル基若しくはヒドロキシアルケニル基であり、複数個のＲ1は、同一であっても異なっていてもよく、Ｙは、水素原子、無置換若しくは有機基置換アンモニウム基、アルカリ金属又はアルカリ土類金属である。    【化１】2006340849.tif 000009【選択図】なし【特許請求の範囲】
【請求項１】
一般式［１］、一般式［２］又は一般式［３］で表されるリン酸エステル化合物と、アミノ酸型両性界面活性剤とを含有することを特徴とする消臭剤。
【化１】
2006340849.tif 000007
（ただし、式中、Ｒ1は、炭素数１〜６のアルキル基若しくはヒドロキシアルキル基、又は、炭素数２〜６のアルケニル基若しくはヒドロキシアルケニル基であり、複数個のＲ1は、同一であっても異なっていてもよく、Ｙは、水素原子、無置換若しくは有機基置換アンモニウム基、アルカリ金属又はアルカリ土類金属である。）
【請求項２】
アミノ酸型両性界面活性剤が、一般式［４］で表される化合物である請求項１記載の消臭剤。
【化２】
2006340849.tif 000008
（ただし、式中、Ｒ2及びＲ3は、炭素数１〜２２のアルキル基若しくはヒドロキシアルキル基、炭素数２〜２２のアルケニル基若しくはヒドロキシアルケニル基又は水素原子であり、同一であっても異なっていてもよく、Ｘは、水素原子、無置換若しくは有機基置換アンモニウム基、アルカリ金属又はアルカリ土類金属であり、ｌ、ｍ及びｎはそれぞれ１〜５であり、ｐ及びｑはそれぞれ０〜４であり、ｐ及びｑがいずれも０となることはない。）
【請求項３】
一般式［４］において、ｌ及びｍの少なくとも一方が３である請求項２記載の消臭剤。
【請求項４】
ｐＨが５〜９である請求項１ないし請求項３のいずれか１項に記載の消臭剤。
【発明の詳細な説明】
【技術分野】
【０００１】
本発明は、消臭剤に関する。さらに詳しくは、本発明は、多様な悪臭物質に対して効果を発揮し、特にアンモニア、アミン類などの塩基性物質と、硫化水素、メルカプタンなどの硫黄系物質の双方に対して有効に作用する消臭剤に関する。
【背景技術】
【０００２】
２０〜３０年前には、消臭や脱臭が必須の工程である化学工場、食品製造工場、畜産農業、下水・屎尿処理場などのいずれも大規模事業所の分野で、脱臭力の強化、対象物質の広がりへの対応などが実施されてきた。
しかし、近年では、社会環境や生活スタイル、ユーザー意識などの変化に伴い、従来は消臭や脱臭が必須の要件でなかった分野、例えば、住居、オフィス、車、共用施設、飲食店などの生活の場においても消臭、脱臭への要望が高まっている。しかし、これらの生活の場から発生する悪臭の原因は単一ではなく、多種多様の悪臭物質が混在しており、特定も困難であることが多い。
従来市販されている多くの消臭剤は、概して以下のように分類される。
（１）感覚系消臭剤：芳香性物質の香気によって臭気をマスキングし、臭気の質を改善し、不快度を低下させる（マスキング法）。
（２）化学反応系消臭剤：酸化、還元、中和、脱硫、付加、縮合反応などを伴い、悪臭物質を無臭化させる。
（３）物理吸着系消臭剤：活性炭、シリカゲル、アルミナゲル、活性白土、ゼオライトなどの多孔質系の物質により、悪臭物質を物理的に吸着させる。
（４）化学吸着系消臭剤：添着活性炭、イオン交換樹脂、酸化鉄系物質などにより、悪臭
物質との化学反応を伴い、吸着させる。
（５）微生物系消臭剤：微生物の産出する酵素により消臭、脱臭させる。
しかしながら、前記(１)の感覚系消臭剤は、悪臭成分との相性を考慮することが重要であり、生活の場のすべてに対応することは難しく、さらに芳香性物質の香気は人によって好みが分かれるところである。(２)の化学系消臭剤においても、多種多様な悪臭物質に効率よく反応する化合物を選定することは極めて困難であり、比較的多種類の悪臭物質に対応する化合物であっても、強酸又は強アルカリであったり、人体に対し安全とは言い難いものである場合が多く、消臭剤自体の安定性も低い。(３)物理吸着系消臭剤及び(４)化学吸着系消臭剤では、悪臭物質の吸着量に限界がある上に、再拡散の問題もある。また、消臭剤すなわち吸着剤の交換の手間とコストがかかるという欠点もある。(５)微生物系消臭剤は、生活の場の消臭にはそぐわず、また、消臭効果の発現も遅いために、現状では実用的ではない。このようにいずれのタイプにおいても、満足のいくものが得られていない。
このような事情から、多種多様な悪臭物質に対して効果を発揮する消臭剤が検討されてきた。例えば、あらゆる種類の臭に対して少量で強力な消臭効果を発揮する消臭剤として、カルボン酸型両性界面活性剤などの両性界面活性剤と、ポリエチレングリコール型非イオン界面活性剤などの非イオン界面活性剤とを必須成分とする消臭剤が提案されている（特許文献１）。また、メルカプタン類や硫化水素を迅速に除去し、ゴミ箱や家畜舎などの悪臭を有効に除去しうる脱臭・消臭剤組成物として、グリシン系両性界面活性剤と、ヒマシ油、水素添加ヒマシ油又はラノリンの酸化エチレン付加物と、炭素数８〜２２のアルキル基又はアルケニル基を有するリン酸エステル塩とを必須成分として含有する組成物が提案されている（特許文献２）。しかし、これらの消臭剤は、悪臭物質を発する物体に直接散布したり混合したりする必要があり、空気中に拡散している悪臭物質の濃度を低減させる効果は弱く、その結果消臭効果は不十分である。
さらに、貯蔵安定性や熱安定性に優れ、アンモニアやメルカプタンなどの脱臭性能に優れた脱臭剤、殺菌剤、防カビ剤などとして有用な脱臭性組成物として、酸性リン酸エステル及び銅化合物を含有する組成物が提案されている（特許文献３）。しかし、この組成物は、銅化合物を含有するために環境に対する悪影響が懸念され、また硫化水素に対する消臭効果が不十分である。
【特許文献１】特公昭４６−１６１１８号公報
【特許文献２】特開昭５１−１２１５２１号公報
【特許文献３】特開昭６４−４００５５号公報
【発明の開示】
【発明が解決しようとする課題】
【０００３】
本発明は、アンモニア、アミン類などの塩基性悪臭と、硫化水素、メルカプタンなどの硫黄系悪臭との全く性質の異なる悪臭物質に対して、両者共に有効に作用する消臭剤を提供することを目的としてなされたものである。
【課題を解決するための手段】
【０００４】
本発明者らは、上記の課題を解決すべく鋭意研究を重ねた結果、消臭剤の有効成分として特定の構造を有するリン酸エステルとアミノ酸型両性界面活性剤とを併用することにより、低濃度であっても塩基性悪臭及び硫黄系悪臭の双方に対して優れた消臭効果が発揮されることを見いだし、この知見に基づいて本発明を完成するに至った。
すなわち、本発明は、
（１）一般式［１］、一般式［２］又は一般式［３］で表されるリン酸エステル化合物と、アミノ酸型両性界面活性剤とを含有することを特徴とする消臭剤、
【化１】
2006340849.tif 000002
（ただし、式中、Ｒ1は、炭素数１〜６のアルキル基若しくはヒドロキシアルキル基、又は、炭素数２〜６のアルケニル基若しくはヒドロキシアルケニル基であり、複数個のＲ1は、同一であっても異なっていてもよく、Ｙは、水素原子、無置換若しくは有機基置換アンモニウム基、アルカリ金属又はアルカリ土類金属である。）、
（２）アミノ酸型両性界面活性剤が、一般式［４］で表される化合物である(１)記載の消臭剤、
【化２】
2006340849.tif 000003
（ただし、式中、Ｒ2及びＲ3は、炭素数１〜２２のアルキル基若しくはヒドロキシアルキル基、炭素数２〜２２のアルケニル基若しくはヒドロキシアルケニル基又は水素原子であり、同一であっても異なっていてもよく、Ｘは、水素原子、無置換若しくは有機基置換アンモニウム基、アルカリ金属又はアルカリ土類金属であり、ｌ、ｍ及びｎはそれぞれ１〜５であり、ｐ及びｑはそれぞれ０〜４であり、ｐ及びｑがいずれも０となることはない。）、
（３）一般式［４］において、ｌ及びｍの少なくとも一方が３である(２)記載の消臭剤、及び、
（４）ｐＨが５〜９である(１)ないし(３)のいずれか１項に記載の消臭剤、
を提供するものである。
【発明の効果】
【０００５】
本発明の消臭剤は、アンモニア、アミン類などの塩基性悪臭と硫化水素、メルカプタンなどの硫黄系悪臭との全く性質の異なる悪臭物質の双方に対して優れた消臭効果を発揮する。したがって、本発明の消臭剤を用いることにより生活の場の快適化はもとより、悪臭公害の低減にも寄与することができる。
【発明を実施するための最良の形態】
【０００６】
本発明の消臭剤は、一般式［１］、一般式［２］又は一般式［３］で表されるリン酸エステル化合物と、アミノ酸型両性界面活性剤とを含有する。
【化３】
2006340849.tif 000004
一般式［１］〜［３］において、Ｒ1は、炭素数１〜６のアルキル基若しくはヒドロキシアルキル基、又は、炭素数２〜６のアルケニル基若しくはヒドロキシアルケニル基であり、複数個のＲ1は、同一であっても異なっていてもよい。これらの基は、直鎖状であっても分岐を有していてもよい。アルキル基、ヒドロキシアルキル基、アルケニル基又はヒドロキシアルケニル基の炭素数が７以上であると、消臭効果が十分に発現しないおそれがある。炭素数１〜６のアルキル基としては、例えば、メチル基、エチル基、プロピル基、イソプロピル基、ブチル基、イソブチル基、ペンチル基、１−メチルブチル基、ヘキシル基、２−エチルブチル基などを挙げることができる。炭素数１〜６のヒドロキシアルキル基としては、例えば、２−ヒドロキシエチル基、２−ヒドロキシプロピル基、２−ヒドロキシ−１−メチルエチル基、２−ヒドロキシブチル基、３−ヒドロキシブチル基などを挙げることができる。炭素数２〜６のアルケニル基としては、例えば、ビニル基、１−プロペニル基、イソプロペニル基、アリル基、２−ブテニル基、２−ペンテニル基、３−メチル−２−ブテニル基、２−ヘキセニル基などを挙げることができる。炭素数２〜６のヒドロキシアルケニル基としては、例えば、３−ヒドロキシ−１−プロペニル基などを挙げることができる。
【０００７】
一般式［１］〜［３］において、Ｙは、水素原子、無置換若しくは有機基置換アンモニウム基、アルカリ金属又はアルカリ土類金属である。有機基置換アンモニウム基としては、例えば、炭素数１〜１８、より好ましくは炭素数１〜４のアルキル基又はヒドロキシアルキル基で置換されたアンモニウム基を挙げることができる。置換基の数は１〜３個であり、置換基が複数個ある場合は、それらは同一であっても異なっていてもよい。Ｙがアルカリ土類金属である場合は、アルカリ土類金属１原子が、２個のＹとして作用する。
本発明においては、一般式［１］〜［３］で表されるリン酸エステル化合物から選ばれる１種を単独で用いることができ、あるいは、２種以上を組み合わせて用いることもできる。
本発明の消臭剤において、一般式［１］〜［３］で表される化合物の含有量は、０.００５〜６０質量％であることが好ましく、０.０１〜２０質量％であることがより好ましく、０.０５〜５質量％であることがさらに好ましい。一般式［１］〜［３］で表される化合物の含有量が０.００５質量％未満であると、消臭効果が十分に発現しないおそれがある。一般式［１］〜［３］で表される化合物の含有量が６０質量％を超えると、取り扱い作業性が低下するおそれがある。
【０００８】
本発明に用いられるアミノ酸型両性界面活性剤に特に制限はなく、例えば、アルキルアミノ酸型両性界面活性剤、アミドアミノ酸型両性界面活性剤、アミノアルキルアミノ酸型両性界面活性剤などを挙げることができる。アルキルアミノ酸型両性界面活性剤としては、例えば、Ｎ−デシル−β−アミノプロピオン酸、Ｎ−ドデシル−β−アミノプロピオン酸、Ｎ−テトラデシル−β−アミノプロピオン酸、Ｎ−ドデシルイミノ二酢酸、それらの塩などを挙げることができる。アミドアミノ酸型両性界面活性剤としては、例えば、Ｎ−カルボキシメチル−Ｎ−ヒドロキシエチルアミノエチルラウリン酸アミド、、Ｎ−カルボキシメチル−Ｎ−ヒドロキシエチルアミノエチルミリスチン酸アミド、Ｎ−カルボキシメチル−Ｎ−ヒドロキシエチルアミノエチルヤシ油脂肪酸アミド、それらの塩などを挙げることができる。アミノアルキルアミノ酸型両性界面活性剤としては、例えば、Ｎ−ドデシル−Ｎ''−カルボキシメチルジエチレントリアミン、Ｎ−[３−(ドデシルアミノ)プロピル]グリシン、それらの塩などを挙げることができる。
【０００９】
本発明においては、アミノ酸型両性界面活性剤として、アミノアルキルアミノ酸型両性界面活性剤を好適に用いることができ、一般式［４］で表される化合物を特に好適に用いることができる。
【化４】
2006340849.tif 000005
一般式［４］において、Ｒ2及びＲ3は、炭素数１〜２２のアルキル基若しくはヒドロキシアルキル基、炭素数２〜２２のアルケニル基若しくはヒドロキシアルケニル基、又は、水素原子であり、同一であっても異なっていてもよい。これらの基は、直鎖状であっても分岐を有していてもよい。炭素数１〜２２のアルキル基としては、例えば、メチル基、エチル基、プロピル基、イソプロピル基、ブチル基、ペンチル基、ヘキシル基、ヘプチル基、オクチル基、ノニル基、ドデシル基、テトラデシル基、ヘキサデシル基、オクタデシル基、イコシル基、ドコシル基などを挙げることができる。炭素数１〜２２のヒドロキシアルキル基としては、例えば、２−ヒドロキシエチル基、２−ヒドロキシプロピル基、２−ヒドロキシブチル基、１０−ヒドロキシオクタデシル基などを挙げることができる。炭素数２〜２２のアルケニル基としては、例えば、ビニル基、１−プロペニル基、イソプロペニル基、アリル基、２−ブテニル基、４−ペンテニル基、３−メチル−２−ブテニル基、２−ヘキセニル基、２−ヘプテニル基、７−オクテニル基、２−ノネニル基、２−デセニル基、１１−ドデセニル基、２−テトラデセニル基、９−ヘキサデセニル基、９−オクタデセニル基、９−イコセニル基、１３−ドコセニル基などを挙げることができる。炭素数２〜２２のヒドロキシアルケニル基としては、例えば、３−ヒドロキシ−１−プロペニル基、１２−ヒドロキシ−９−オクタデセニル基などを挙げることができる。Ｒ2又はＲ3は、炭素数６〜１４のアルキル基であることが好ましい。Ｒ2又はＲ3が炭素数６〜１４のアルキル基である一般式［４］で表される化合物を用いることにより、優れた消臭効果を得ることができる。
【００１０】
一般式［４］において、Ｘは、水素原子、無置換若しくは有機基置換アンモニウム基、アルカリ金属又はアルカリ土類金属である。有機基置換アンモニウム基としては、例えば、置換基が炭素数１〜１８、より好ましくは炭素数１〜４のアルキル基又はヒドロキシアルキル基であるアンモニウム基を挙げることができる。置換基の数は１〜３個であり、置換基が複数個ある場合、それらは同一であっても異なっていてもよい。
一般式［４］において、ｌ、ｍ及びｎはそれぞれ独立して１〜５であり、より好ましくは１〜３であり、さらに好ましくはｌ又はｍの少なくとも一方が３である。ｌ、ｍ又はｎが６以上であると、十分な消臭効果が得られないおそれがある。ｌ又はｍの少なくとも一方が３であると、優れた消臭効果が発現する。一般式［４］において、ｐ及びｑはそれぞれ独立して０〜４、より好ましくは０〜２であり、ｐ及びｑがいずれも０になることはない。ｐ又はｑが５以上であると、十分な消臭効果が得られないおそれがある。
本発明の消臭剤において、アミノ酸型両性界面活性剤の含有量は０.００１〜３０質量％であることが好ましく、０.００５〜１０質量％であることがより好ましく、０.０１〜５質量％であることがさらに好ましい。アミノ酸型両性界面活性剤の含有量が０.００１質量％未満であると、十分な消臭効果が得られないおそれがある。アミノ酸型両性界面活性剤の含有量が３０質量％を超えると、取り扱い作業性が低下するおそれがある。
本発明の消臭剤は、ｐＨが５〜９であることが好ましく、ｐＨが５.５〜８.５であることがより好ましい。消臭剤のｐＨが５未満であると、硫化水素、メチルメルカプタンなどの硫黄系悪臭に対する消臭効果が低下するおそれがある。消臭剤のｐＨが９を超えると、アンモニア、トリメチルアミンなどの塩基性悪臭に対する消臭効果が低下するおそれがある。
【００１１】
本発明の消臭剤には、必要に応じて、ｐＨ調整剤、アミノ酸型両性界面活性剤以外の界面活性剤、抗菌剤、防腐剤、香料などを添加することができる。ｐＨ調整剤としては、特に制限はないが、炭素数２〜６のヒドロキシアルキル基１〜３個を有するアルカノールアミンを用いることが好ましい。ヒドロキシアルキル基が１個又は２個のとき、窒素原子には、炭素数１〜８のアルキル基又は炭素数２〜６のアルケニル基が結合していてもよい。このようなアルカノールアミンを用いてｐＨ調整した場合、アンモニアに対する消臭効果がより良好となる傾向にある。
本発明の消臭剤は、水、エタノール、イソプロピルアルコールなどの低級アルコール、これらの混合溶媒などを媒体として、リン酸エステル化合物、アミノ酸型両性界面活性剤、前記の添加剤などを溶解、分散あるいは乳化させて調製することができ、そのままであるいは希釈して使用することができる。希釈する場合には、一般式［１］〜［３］で表されるリン酸エステル化合物の含有量が０.００５〜２０質量％であることが好ましく、０.０１〜５質量％であることがより好ましい。一般式［１］〜［３］で表される化合物の含有量が０.００５質量％未満であると、十分な消臭効果が得られないおそれがある。一般式［１］〜［３］で表される化合物の含有量が２０質量％を超えると、使用量の増加に見合う効果が得られないおそれがある。希釈する場合には、アミノ酸型両性界面活性剤の含有量が０.００１〜１０質量％であることが好ましく、０.０１〜５質量％であることがより好ましい。アミノ酸型両性界面活性剤の含有量が０.００１質量％未満であると、十分な消臭効果が得られないおそれがある。アミノ酸型両性界面活性剤の含有量が１０質量％を超えると、使用量の増加に見合う効果が得られないおそれがある。
本発明の消臭剤の使用形態に特に制限はなく、例えば、活性炭、シリカゲル、ゼオライトなどの多孔質担体に含浸、担持させて使用することができ、あるいは、粉末、錠剤、顆粒剤、ゲル状物などに成形して使用することもできる。本発明の消臭剤の使用方法に特に制限はなく、例えば、液状、粉末、錠剤、顆粒剤の消臭剤を悪臭源に噴霧又は混合する方法、悪臭を感じる空間に液状の消臭剤を噴霧する方法、ゲル状物などを備え付ける方法などを挙げることができる。
【実施例】
【００１２】
以下に実施例を挙げて本発明をさらに詳細に説明するが、本発明はこれらの実施例によりなんら限定されるものではない。
なお、実施例及び比較例において、消臭効果は、下記の方法により評価した。
（１）アンモニアに対する消臭効果
消臭剤３ｍＬをしみこませたろ紙（４ｃｍ×４ｃｍ）を３Ｌのテドラー（登録商標）バッグに入れ、バック中の空気を脱気したのち、１００ｐｐｍ（容量比）のアンモニアを含有する空気２Ｌを注入し、密封した。２０℃で２時間放置したのち、ガス検知管［(株)ガステック］にてアンモニアの残留濃度を測定した。また、空試験として、消臭剤の代わりに蒸留水を用いて同様に試験し、テドラーバック内のアンモニアの残留濃度を測定した。消臭率（％）を次式により算出した。
消臭率（％）
＝｛１−(消臭剤を用いたときの残留濃度)／(空試験の残留濃度)｝×１００
（２）硫化水素に対する消臭効果
アンモニアを含有する空気の代わりに、１００ｐｐｍ（容量比）の硫化水素を含有する空気を用いた以外は、アンモニアと同様に試験し、硫化水素の消臭率（％）を算出した。
【００１３】
実施例１
蒸留水９８.２ｇ、リン酸メチル０.１５ｇ、リン酸ジメチル０.１５ｇ、Ｎ−ドデシル−Ｎ''−カルボキシメチルジエチレントリアミン（Ｃ12Ｈ25ＮＨＣＨ2ＣＨ2ＮＨＣＨ2ＣＨ2ＮＨＣＨ2ＣＯＯＨ）１.０ｇ及びトリエタノールアミン０.５ｇを混合して、消臭剤を調製した。得られた消臭剤のｐＨは、７.０であった。
この消臭剤の消臭効果を試験したところ、アンモニアの消臭率は９７％であり、硫化水素の消臭率は９０％であった。
実施例２
蒸留水９７.７ｇ、リン酸メチル０.１５ｇ、リン酸ジメチル０.１５ｇ、Ｎ−ドデシル−β−アミノプロピオン酸（Ｃ12Ｈ25ＮＨＣＨ2ＣＨ2ＣＯＯＨ）１.０ｇ及びトリエタノールアミン１.０ｇを混合して消臭剤を調製し、消臭効果の評価を行った。なお、この消臭剤のｐＨは８.１であった。
アンモニアの消臭率は８０％であり、硫化水素の消臭率は８５％であった。
実施例３
蒸留水９７.７ｇ、リン酸メチル０.１５ｇ、リン酸ジメチル０.１５ｇ、Ｎ−[３−(ドデシルアミノ)プロピル]グリシン（Ｃ12Ｈ25ＮＨＣＨ2ＣＨ2ＣＨ2ＮＨＣＨ2ＣＯＯＨ）１.０ｇ及びジイソプロパノールアミン１.０ｇを混合して消臭剤を調製し、消臭効果の評価を行った。なお、この消臭剤のｐＨは７.０であった。
アンモニアの消臭率は９７％であり、硫化水素の消臭率は９５％であった。
実施例４
蒸留水９７.７ｇ、リン酸ｎ−ヘキシル０.１５ｇ、リン酸ジ(ｎ−ヘキシル)０.１５ｇ、Ｎ−ドデシル−Ｎ''−カルボキシメチルジエチレントリアミン（Ｃ12Ｈ25ＮＨＣＨ2ＣＨ2ＮＨＣＨ2ＣＨ2ＮＨＣＨ2ＣＯＯＨ）０.５ｇ、Ｎ−[３−(ドデシルアミノ)プロピル]グリシン（Ｃ12Ｈ25ＮＨＣＨ2ＣＨ2ＣＨ2ＮＨＣＨ2ＣＯＯＨ）０.５ｇ、Ｎ−tert−ブチルエタノールアミン１.０ｇを混合して消臭剤を調製し、消臭効果の評価を行った。なお、この消臭剤のｐＨは６.１であった。
アンモニアの消臭率は９８％であり、硫化水素の消臭率は９５％であった。
【００１４】
比較例１
蒸留水９９.２ｇ、リン酸メチル０.１５ｇ、リン酸ジメチル０.１５ｇ及びトリエタノールアミン０.５ｇを混合して消臭剤を調製し、消臭効果の評価を行った。なお、この消臭剤のｐＨは７.０であった。
アンモニアの消臭率は２１％であり、硫化水素の消臭率は０％であった。
比較例２
蒸留水９９.０ｇ、Ｎ−ドデシル−Ｎ''−カルボキシメチルジエチレントリアミン（Ｃ12Ｈ25ＮＨＣＨ2ＣＨ2ＮＨＣＨ2ＣＨ2ＮＨＣＨ2ＣＯＯＨ）１.０ｇを混合して消臭剤を調製し、消臭効果の評価を行った。なお、この消臭剤のｐＨは７.０であった。
アンモニアの消臭率は１１％であり、硫化水素の消臭率は５１％であった。
比較例３
蒸留水９８.２ｇ、リン酸イソデシル０.３ｇ、Ｎ−ドデシル−β−アミノプロピオン酸（Ｃ12Ｈ25ＮＨＣＨ2ＣＨ2ＣＯＯＨ）１.０ｇ及びトリエタノールアミン０.５ｇを混合して消臭剤を調製し、消臭効果の評価を行った。なお、この消臭剤のｐＨは６.０であった。
アンモニアの消臭率は１６％であり、硫化水素の消臭率は４３％であった。
実施例１〜４及び比較例１〜３の消臭剤の配合組成、ｐＨ及び消臭率を第１表に示す。
【００１５】
【表１】
2006340849.tif 000006
【００１６】
第１表に見られるように、実施例１〜４の消臭剤は、いずれもアンモニア及び硫化水素の双方に対して優れた消臭効果を発揮する。アルキルアミノ酸型両面界面活性剤であるＮ−ドデシル−β−アミノプロピオン酸を配合した実施例２の消臭剤よりも、アミノアルキルアミノ酸型両性界面活性剤を配合した実施例１と実施例３〜４の消臭剤の方が消臭効果が優れ、Ｎ−[３−(ドデシルアミノ)プロピル]グリシンを配合した実施例３〜４の消臭剤は、硫化水素に対する消臭効果が特に優れている。
アミノ酸型両性界面活性剤を含有しない比較例１の消臭剤、リン酸エステル化合物を含有しない比較例２の消臭剤、リン酸エステル化合物とアミノ酸型両性界面活性剤を含有していても、リン酸エステル化合物のアルキル基の炭素数が１０である比較例３の消臭剤は、いずれも消臭効果が著しく劣っている。
【産業上の利用可能性】
【００１７】
本発明の消臭剤は、アンモニア、アミン類などの塩基性悪臭と、硫化水素、メルカプタンなどの硫黄系悪臭の全く性質の異なる悪臭物質のいずれに対しても、優れた消臭効果を発揮する。したがって、本発明の消臭剤を用いることにより、生活の場の快適化はもとより、悪臭公害の低減にも寄与することができる。